(57)【要約】【課題】横紐の編み込みが容易に、かつ均一にできることで、できあがりの見栄えがよい草履を提供する。【解決手段】草履１は、鼻緒２と草履台３とを有している。この草履台３は、所定間隔ごとに配列された４本の縦部材３１ｂの両端部が横部材３１ｃにより連結された芯材３１と、それぞれの縦部材３１ｂに、表裏交互に編み込まれた紐状部材３２とで形成されている。芯材３１および紐状部材３２を、紙部材で形成することで、副葬品として棺に治めても、有毒なガスが発生せず、過度な燃焼により火葬炉を傷めたりしない。また、芯材３１を紙部材の中でも段ボール紙とすることで、段ボール紙に長孔３１ａをくり抜いて形成することで容易に縦部材３１ｂの両端部に横部材３１ｃが連結した芯材３１が形成でき、紐部材３２を横通しするためのしっかりとした堅牢な芯材３１とすることができる。【選択図】図２
0003137142.tif 000002
【実用新案登録請求の範囲】
【請求項１】
鼻緒と草履台とを有する草履において、
前記草履台は、所定間隔ごとに配列された縦部材の前端部と後端部とがそれぞれ横部材により連結された芯材と、それぞれの縦部材に、表裏交互に編み込まれた紐状部材とで形成されていることを特徴とする草履。
【請求項２】
前記芯材および前記紐状部材は、紙部材で形成されている請求項１記載の草履。
【請求項３】
前記芯材は、段ボール紙から形成されている請求項１または２記載の草履。
【考案の詳細な説明】
【技術分野】
【０００１】
本考案は、紐状部材により形成された草履台に鼻緒を設けた草履に関する。
【背景技術】
【０００２】
従来の草履として、藁で形成された藁草履や、布で形成された布草履が一般的に知られている。藁草履や、布草履の他に、特許文献１に記載されたものが知られている。この特許文献１に記載の棺に納める草履は、鼻緒と草履台とが紙紐で形成された紙草履である。
【０００３】
【特許文献１】実用新案登録第３１３２１９２号公報
【考案の開示】
【考案が解決しようとする課題】
【０００４】
このような藁草履、布草履、および紙草履は、８の字状にした紐状部材の２つの輪の部分をそれぞれ両足の親指にかけると共に、交差部分を手元に引っ張ることで、手元から両足の親指に向かって扇形に広がる４本の縦紐とし、この縦紐に横紐を表裏交互に編み込んでいくことで、草履台が作製される。
【０００５】
しかし、縦紐を引っ張った状態で横紐を編み込んでいくと、横紐の締め付け具合（引っ張り具合）によっては縦紐同士の間隔が変わってしまい、均一に横紐の編み込みができないことがある。従って、横紐の編み込みには、縦紐の間隔が各横紐間で同じになるように気を付けながら作業することになるので、手間が掛かり熟練を要する。従って、草履を大量に見栄えよく作製するための阻害要因となっている。
【０００６】
そこで本考案は、横紐の編み込みが容易に、かつ均一にできることで、できあがりの見栄えがよい草履を提供することを目的とする。
【課題を解決するための手段】
【０００７】
本考案の草履は、鼻緒と草履台とを有する草履において、前記草履台は、所定間隔ごとに配列された縦部材の前端部と後端部とがそれぞれ横部材により連結された芯材と、それぞれの縦部材に、表裏交互に編み込まれた紐状部材とで形成されていることを特徴とする、
【０００８】
本考案の草履は、草履台が芯材に紐状部材が編み込まれている。芯材は、所定間隔ごとに縦部材が配置され、この縦部材の前端部と後端部とがそれぞれ横部材により連結されている。従って、縦部材の間隔は、横部材により固定されているので、縦部材の間隔が一定に保たれる。従って、紐状部材を横紐として編み込む際に縦部材の間隔が安定しているので、紐状部材の編み込みを容易に行うことができ、各横紐間で均一に編み込むことができる。
【０００９】
前記芯材および前記紐状部材は、紙部材で形成されているのが望ましい。芯材および紐状部材を紙部材で形成することで、例えば、この草履を、死に装束の藁草履の代わりに、火葬の際の副葬品としても、芯材および紐状部材の調達が容易で、かつ藁草履と同様に有害なガスが発生せず、過度な燃焼により火葬炉を傷めたりしない。
【００１０】
前記芯材は、段ボール紙から形成されているのが望ましい。芯材が段ボール紙から形成されていることで、段ボール紙をくり抜くことで容易に縦部材の両端部に横部材が連結した芯材が形成でき、紐部材を横通しするためのしっかりとした堅牢な芯材とすることができる。
【考案の効果】
【００１１】
本考案の草履は、紐状部材を横紐として編み込む際に縦部材の間隔が安定しているので、紐状部材の編み込みを容易に行うことができ、各横紐間で均一に編み込むことができる。よって、本考案は、できあがりの見栄えがよい草履とすることができる。
【考案を実施するための最良の形態】
【００１２】
本考案の実施の形態に係る草履を、図面に基づいて説明する。図１は、本考案に係る草履全体を示す斜視図である。図２は、図１に示す草履の平面図である。図３は、図１に示す草履の断面図である。図４は、図１に示す草履の芯材を示す平面図である。
【００１３】
図１から図４に示すように本考案の実施の形態に係る草履１は、鼻緒２と草履台３とを備えた紙草履であり、副葬品として遺体と共に棺に納めるためのものである。鼻緒２は、長尺の帯状の白い紙部材を多数回折り畳むことで細紐状とした紙紐で形成され、前緒２１の環状部分にＶ字状の横緒２２が挿通した状態で草履台３に取り付けられている。
【００１４】
草履台３は、芯材３１に紐状部材３２を編み込むことで形成されている。芯材３１は、大人用サイズのもので、四角形の角を丸くした長さが約１８ｃｍ、幅が約８ｃｍ、厚みが約５ｍｍの段ボール板に、長さが約１３ｃｍ、幅が約１ｃｍの四角形状の長孔３１ａが、３ヵ所設けられたものである。つまり、芯材３１は、段ボール板に長孔３１ａを設けることで、所定間隔ごとに配置された縦部材３１ｂの前端部と後端部とがそれぞれ横部材３１ｃで連結された型枠として機能する。この芯材３１のそれぞれの寸法を変更することで、草履１のサイズを調整することができる。
【００１５】
芯材３１には長孔３１ａが３つ設けられているが、２つでも、４つ以上でもよい。しかし、長孔が偶数個では鼻緒２の前緒２１の取り付けが幅方向の中心からずれてしまうため、長孔は奇数個とするのが望ましい。また、長孔が４つ以上では、紐状部材３２を縦部材３１ｂに編み込むのに大変な手間を要するため、長孔３１ａは３つとするのが最も望ましい
【００１６】
芯材３１は、段ボール紙とする以外にボール紙などの厚紙とすることができる。芯材３１を厚紙とする場合には、紐状部材３２を編み込む際の撓みに対する強度が不足しがちである。その場合には、厚紙を何枚も重ね合わせて接着して１枚の芯材３１とすることで、撓みの強度を確保することができる。
しかし、厚紙を接着する手間等を考慮すると、段ボール紙であれば１枚で十分な強度が確保できるので、芯材３１は段ボール紙とするのが望ましく、更に撓みに対する強度が必要な場合には段ボール紙を２層のもの、またはそれ以上の多層のものとするとすることができる。
【００１７】
紐状部材３２は、鼻緒２と同様に、長尺の帯状の白い紙部材を多数回折り畳むことで細紐状とした紙紐で形成されている。本実施の形態では、環境保全への配慮から紐状部材３２を再生紙で形成しているが、未使用の紙で形成してもよい。また、火葬する際に問題とならなければ、紐状部材３２は、紙紐以外に、化学合成により形成された紐で形成されていてもよい。
【００１８】
以上のように構成された本考案に係る草履１の製造方法、および使用状態を説明する。
芯材３１は、大判の段ボール紙をカッターで切断することで形成することができるが、芯材３１の外形を形成する刃とそれぞれの長孔３１ａを形成する刃とを有する抜型で、大判の段ボール紙を打ち抜くことで、容易に形成することができる。芯材３１を抜型で形成することで大量生産にも容易に対応することができる。
【００１９】
この芯材３１に、従来の草履と同じように、芯材３１の縦部材３１ｂおよび横部材３１ｃに、紐状部材３２を裏表交互に編み込んで草履台３を形成する。また、草履台３を形成する中で、鼻緒２の前緒２１と横緒２２とを編み込んで取り付ける。芯材３１は、縦部材３１ｂの両端部が横部材３１ｃにより固定されているので、縦部材３１ｂ同士の間隔が、紐状部材３２を編み込んでいく際の引張力でも撓むことなく変わらない。従って、縦部材３１ｂに左右に往復させながら編み込んでいく紐状部材３２を、容易に、かつ均一に編み込むことができる。このようにして芯材３１に紐状部材３２を編み込んでいくことで、見栄えのよい草履１を形成することができる。また、紐状部材３２が白色の紙であるため、経かたびらと共に用いても、草履１は目立たず清潔感がある。
【００２０】
従来の草履では、縦紐に横紐を編み込んでいく際に、初心者は外形の基準となる小判状の型を編み込んでいる最中の草履台３に当てながら、その型を目安に横紐を編み込んでいくことで、形を整えているが、本実施の形態では、芯材３１の外形が、そのまま草履１の外形となるので、初心者でも型を基準に当てることなく外形の整った草履１を形成することができる。従って、早く、正確に、形の整った草履１を形成することができる。
【００２１】
また、紐状部材３２を編み込む際に、各段の紐状部材３２同士の詰まり具合を調整したい場合には、横部材３１ｃは、縦部材３１ｂの前端部および後端部のみを連結しているので、紐状部材３２を縦部材３１ｂに沿って踵から爪先への方向や、その反対の方向へ移動させることで、紐状部材３２同士の間隔を容易に調整することが可能である。
【００２２】
以上、本考案の実施の形態について説明してきたが、本考案は前記実施の形態に限定されるものではない。例えば、本実施の形態では、副葬品としての草履１を例に説明したが、段ボール紙で形成された芯材３１の代わりに、柔軟性があり、かつ堅牢で、耐久性のある樹脂製板材を切り出したものや、樹脂製棒状部材を枠状に形成したものを使用し、紙紐の代わりに布紐を使用することで、スリッパの代わりとして使用できる室内履き用の草履とすることも可能である。
【産業上の利用可能性】
【００２３】
本考案は、鼻緒と、草履台とを有する草履に好適であり、特に紙製とすることで棺に納める副葬品としての草履に最適である。
【図面の簡単な説明】
【００２４】
【図１】本考案に係る草履全体を示す斜視図である。
【図２】図１に示す草履の平面図である。
【図３】図１に示す草履の断面図である。
【図４】図１に示す草履の芯材を示す平面図である。
【符号の説明】
【００２５】
１  草履
２  鼻緒
２１  前緒
２２  横緒
３  草履台
３１  芯材
３１ａ  長孔
３１ｂ  縦部材
３１ｃ  横部材
３２  紐状部材
【図１】
0003137142.tif 000003
【図２】
0003137142.tif 000004
【図３】
0003137142.tif 000005
【図４】
0003137142.tif 000006